(57)【要約】      （修正有）【課題】近傍無線通信を用いる場合に、通信を開始した際の動作モードに応じた通信を行う。【解決手段】他の通信装置と無線通信する通信部を有する通信装置は、通信部により他の通信装置と通信を開始した際に通信部が表示させているデータを、通信部により他の通信装置と通信を開始した際の通信装置の動作モードに応じて送信する。【選択図】図４
2014030206.tif 000002
【特許請求の範囲】
【請求項１】
通信装置であって、
他の通信装置と無線通信する通信手段と、
前記通信手段により前記他の通信装置と通信を開始した際に前記通信装置が表示させているデータを、前記通信手段により前記他の通信装置と通信を開始した際の前記通信装置の動作モードに応じて送信する送信手段とを有することを特徴とする通信装置。
【請求項２】
前記通信装置がデータを再生する再生モードにおいて前記通信手段による通信が開始した場合、前記送信手段は、前記通信装置が表示しているデータを前記他の通信装置に送信する請求項１に記載の通信装置。
【請求項３】
前記通信装置が撮影モード、メニューモード、省電力モード、電源オフの何れかである場合において前記通信手段による通信が開始した場合、前記送信手段は、前記通信装置が表示しているデータを前記他の通信装置に送信しないことを特徴とする請求項１または２に記載の通信装置。
【請求項４】
前記通信手段は、近接無線通信を行うことを特徴とする請求項１乃至３の何れか１項に記載の通信装置。
【請求項５】
前記通信手段は、ＮＦＣ（Ｎｅａｒ  Ｆｉｅｌｄ  Ｃｏｍｍｕｎｉｃａｔｉｏｎ）により通信を行うことを特徴とする請求項１乃至４の何れか１項に記載の通信装置。
【請求項６】
前記送信手段は、前記通信装置と前記他の通信装置とを近づけるユーザ操作により前記通信手段により前記他の通信装置と通信を開始した場合、前記表示させているデータを、前記動作モードに応じて自動で送信することを特徴とする請求項１乃至５の何れか１項に記載の通信装置。
【請求項７】
前記他の通信装置からデータの要求を受信する受信手段と、
前記前記送信手段は、前記通信手段により前記他の通信装置と通信を開始した際に前記通信装置が表示させているデータを送信しなかった場合、前記受信手段により受信した要求に応じたデータを前記通信手段により前記他の通信装置と通信を開始した後に送信することを特徴とする請求項１乃至６の何れか１項に記載の通信装置。
【請求項８】
通信装置の制御方法であって、
他の通信装置と無線通信を行う通信工程と、
前記通信工程において前記他の通信装置と通信を開始した際に前記通信装置が表示させているデータを、前記通信工程において前記他の通信装置と通信を開始した際の前記通信装置の動作モードに応じて送信する送信手段とを有することを特徴とする通信装置。
【請求項９】
請求項８に記載された制御方法の各工程をコンピュータに実行させるためのプログラム。
【発明の詳細な説明】
【技術分野】
【０００１】
本発明は圏内に配置された機器が近傍無線通信機能を利用してデータ通信を行うための無線通信システムに関するものである。
【背景技術】
【０００２】
従来電磁結合を用いて、機器間での近接無線通信を実行するものとしては、ＲＦＩＤ（Radio Frequency IDentification）や、ＮＦＣ（Near Field Communication）技術が知られている。
また、現在「TransferJET」と呼ばれる非接触転送技術が開発されている。この転送技術では電源供給を必要とし、通信距離が最大３cmと短いながらも、データ転送スピードは５６０Mbpsと高速である。
【０００３】
また、従来の無線端末装置は、保存している画像を無線通信で伝送して印刷する為には、ユーザは画像を選択し、メニュー画面で送信機能を起動し、通信相手を特定するなどの複雑な操作が必要であった。
この種の従来技術として、データ伝送装置からデータ処理装置へ１以上のファイルを伝送する時に、データ処理装置において表示し、送信ファイルを選択するインターフェースを提供する無線通信システムがある（特許文献１）。即ち、データ伝送先の装置が、データ伝送元の装置より伝送可能なファイルの情報を表示し、送信ファイルを選択するためのユーザインターフェースを提供する。
【０００４】
また、他の従来技術として、通信装置の近接、または接触を検出し、検出された通信装置から送信されてきた情報によって特定される処理を実行するためのアプリケーションプログラムに所定の処理を実行させる情報処理システムがある（特許文献２）。
【先行技術文献】
【特許文献】
【０００５】
【特許文献１】特開２００６−０２００７８号公報
【特許文献２】特開２００６−１５７３９２号公報
【発明の概要】
【発明が解決しようとする課題】
【０００６】
近傍無線通信を用いると、第１無線端末装置を第２無線端末装置に近づけるだけで、第１無線端末装置内に保存されている画像が転送されるという手軽さはある。
しかしながら、その反面、第１無線通信装置の画像が、ユーザによる選択状態に無い時には、画像の転送が出来ないという不具合が発生する。また、その状態をユーザに通知し、更に、転送する画像を手軽に指定するといったような方法は存在しない。
【０００７】
本発明は、上述した課題に鑑みてなされたものであり、その目的は、通信を開始した際の動作モード応じた通信を行うことにある。
【課題を解決するための手段】
【０００８】
上記の目的を達成するための本発明の一態様による通信装置は以下の構成を備える。すなわち、
通信装置であって、
他の通信装置と無線通信する通信手段と、
前記通信手段により前記他の通信装置と通信を開始した際に前記通信装置が表示させているデータを、前記通信手段により前記他の通信装置と通信を開始した際の前記通信装置の動作モードに応じて送信する送信手段とを有する。
【発明の効果】
【０００９】
本発明によれば、通信を開始した際の動作モード応じた通信を行うことができる。
【図面の簡単な説明】
【００１０】
【図１】実施形態による無線通信システムの構成例を示す図である。
【図２】第１実施形態における、第１無線通信装置としてのデジタルカメラの構成例を示すブロック図である。
【図３】第１実施形態における、第２無線通信装置としてのプリンタの構成例を示すブロック図である。
【図４】デジタルカメラ１００による画像送信時の処理を示すフローチャートである。
【図５】プリンタ１０１による画像受信時の処理を示すフローチャートである。
【図６】第２実施形態における、第１無線通信装置としてのデジタルカメラの構成例を示すブロック図である。
【図７】第２実施形態における、第２無線通信装置としてのプリンタの構成例を示すブロック図である。
【発明を実施するための形態】
【００１１】
以下、添付の図面を参照して本発明の好適な実施形態を説明する。
【００１２】
＜第１実施形態＞
第１実施形態では、第１の情報処理装置と第２の情報処理装置が確立された通信を介して情報の送受信を行う情報処理システムとして、２つの無線通信装置が近傍無線通信を確立して情報の送受信を行う形態を説明する。特に、本実施形態では、第１情報処理装置（第１無線通信装置）をデジタルカメラにより、第２情報処理装置（第２無線通信装置）をプリンタにより実現した、画像通信システムについて説明する。なお、以下の実施形態では、近傍無線通信の確立に応じた情報の送受信を説明するが、これに限られるものではない。例えば、ＵＳＢなどの有線による通信の確立に応じて情報の送受信が行われる場合にも適用可能であることは明らかであろう。
【００１３】
図１は第１実施形態による画像通信システムの構成例を示す図である。図１において、１００および１０１は本発明に係る無線通信装置の一形態であり、本実施形態ではそれぞれ第１無線通信装置をデジタルカメラ１００により、第２無線通信装置をプリンタ１０１により実施した例を示している。
【００１４】
デジタルカメラ１００及びプリンタ１０１は図１では図示されていない近傍無線通信機能を有する。デジタルカメラ１００を同じ近傍無線通信機能を有するプリンタ１０１の近傍通信圏内に近づけると、デジタルカメラ１００とプリンタ１０１との通信が確立され、情報の送受信が可能になる。
【００１５】
図２は、第１無線通信装置としてのデジタルカメラ１００の構成例を示すブロック図である。
図２において、２０１はデジタルカメラ１００の全体を制御するシステム制御部である。２０２は画像処理部であり、保存画像のサムネールを作成するサムネール作成部を含んでいる。２０３は制御命令つまりプログラムが格納されているＲＯＭ、２０４はＲＡＭであり、撮影した画像を保存する記憶領域を含んでいる。２０５は近傍無線通信部であり、近傍無線通信に関わる制御を行う。２０６はアンテナ、２０７はアンテナ制御部である。また、２０８は撮像部であり、ＣＣＤ２０９から入力された画素信号を取り込む。２１０は撮像した画像や設定情報を格納する記録メディアカードの制御を行うカードインタフェース（Ｉ／Ｆ）である。２１４はカードＩ／Ｆ２１０に接続された記録メディアカードである。記録メディアカード２１４はカードＩ／Ｆ２１０に対して着脱可能であることはいうまでもない。また、２１１は表示部である。２１２は操作部であり、撮影指示、再生、各種設定などの操作環境をユーザに提供する。２１３は電源部である。
【００１６】
図３は、第２無線通信装置としてのプリンタ１０１の構成例を示すブロック図である。
３０１はプリンタ１０１の全体を制御するシステム制御部である。３０２は画像処理部、３０３は制御命令つまりプログラムが格納されているＲＯＭである。３０４はＲＡＭであり、受信した画像或いはサムネールを保存する記憶領域を含んでいる。３１３は電源部、３０８はプリンタ用紙の給紙排紙を行う給紙排紙部、３０９はプリンタの印字制御を行うプリンタエンジンである。３１０は画像が格納された記録メディアカードの制御を行うカードインタフェース（Ｉ／Ｆ）である。３１４はカードＩ／Ｆ３１０に接続された記録メディアカードである。記録メディアカード３１４はカードＩ／Ｆ３１０に対して着脱可能であることはいうまでもない。３１１は表示部であり、ＲＡＭ３０４或いは記録メディアカード３１４に保存された画像或いはサムネールを表示する画像表示の機能を含む。３１２は操作部であり、表示されたサムネールから画像を選択する画像選択の機能を含んでいる。３０５は通信制御を行う近傍無線通信部、３０５はアンテナ、３０７はアンテナ制御部である。
【００１７】
以上が、本実施形態のデジタルカメラ１００及びプリンタ１０１のハードウェア構成である。なお、述べるまでもないが、上述のハードウェア構成は本発明における実施形態の一つの事例であって、必ずしも上記ハードウェア構成を有していなければいけないものではなく、本発明の様態を実現できるハードウェア構成であれば全て本発明の範囲内である。
【００１８】
次に、第１実施形態によるデジタルカメラ１００及びプリンタ１０１の動作について説明する。
【００１９】
図４は、デジタルカメラ１００の画像送信時のフローチャートを示す図である。
図４において、まず、デジタルカメラ1００が、プリンタ１０１の通信圏内に置かれると、デジタルカメラ１００の近傍無線通信部２０５とプリンタ１０１の近傍無線通信部３０５が互いを検出する（ステップＳ４０１）。すると、デジタルカメラ１００の近傍無線通信部２０５とプリンタ１０１の近傍無線通信部３０５が互いを検知し、デジタルカメラ１００とプリンタ１０１の間に近傍無線通信が起動する（ステップＳ４０２）。こうして、デジタルカメラ１００は外部装置であるプリンタ１０１との間で通信が確立される。この結果、デジタルカメラ１００とプリンタ１０１の間に近傍無線通信による無線通信リンクが設定され、デジタルカメラ１００とプリンタ１０１間で無線による画像伝送が可能になる。
【００２０】
デジタルカメラ１００では、ＲＡＭ２０４またはカードＩ／Ｆ２１０に接続されている記録メディアカード２１４が、撮影した画像を保存する第１記憶部として機能している。ＲＡＭ２０４またはカードＩ／Ｆ２１０に接続されている記録メディアに保存されている画像は、表示部２１１に表示される。ユーザは操作部２１２を操作することによって、第１記憶部に保存されている画像から所望の画像を送信画像として選択することができる。
【００２１】
近傍無線通信部２０５が起動されると、デジタルカメラ１００のシステム制御部２０１は、第１記憶部に保存されている画像の画像選択状態を確認する。即ち、システム制御部２０１は、ＲＡＭ２０４またはカードＩ／Ｆ２１０に接続されている記録メディアに保存されている画像の内、１つ或いは複数が送信画像として選択された状態にあるかどうかを確認する（ステップＳ４０３）。
【００２２】
すなわち、ステップＳ４０３では、上記ステップＳ４０１及びステップＳ４０２による通信（近傍無線通信）の確立時に、当該通信により送信すべき情報が選択されているか否かが判定される。そして、この判定の結果に基づいて、外部装置（プリンタ１０１）への送信処理が制御される。すなわち、ステップＳ４０３で選択されていないと判定された場合には、
・送信の対象として選択できる情報を示す選択用情報をステップＳ４０１、Ｓ４０２で確立した通信を介して外部装置へ送信し（第１送信処理：ステップＳ４０５〜Ｓ４０７）、
・選択用情報の送信に応じて送信すべき情報を示す指定情報を上記通信を介して外部装置より受信し（ステップＳＳ４１０，Ｓ４１１）、
・指定情報によって指定された情報を上記通信を介して送信する（第２送信処理：ステップＳ４１３）。
【００２３】
なお、選択用情報（サムネール画像）には、処理対象とすべき情報（印刷または表示処理の対象とすべき画像）を特定するための情報（例えばファイル名等）が含まれており、指定情報はこれを用いて生成される。また、サムネール画像やファイル名を表示／プリントしてユーザに所望の情報を選択させるユーザインターフェースでは、例えば、サムネール画像やファイル名に番号を付与したものを表示／プリントし、ユーザに所望の番号を入力させるようにすればよい。また、タッチパネルを備えたプリンタであれば、サムネール画像やファイル名の表示位置をユーザがタッチすることで選択を行える用に構成することができる。
【００２４】
一方、ステップＳ４０３で選択されていると判定された場合には、当該選択されている情報をステップＳ４０１，Ｓ４０２で確立した通信を介して送信する（第２送信処理：ステップＳ４１３）。
以下、これらの処理について詳細に説明する。なお、以下に説明する処理では、選択用情報として送信可能な画像データのサムネール画像が用いられ、指定情報として送信すべき画像を指定する選択画像情報が用いられる。
【００２５】
システム制御部２０１は、画像がユーザにより選択状態であると確認すると（ステップＳ４０４でＹＥＳ）、画像の送信処理を開始する（ステップＳ４１３）。即ち、システム制御部２０１は、選択状態の画像を、ＲＡＭ２０４またはカードＩ／Ｆ２１０に接続されている記録メディアカード２１４から近傍無線通信部２０５へ渡し、アンテナ制御部２０７とアンテナ２０６を通してプリンタ１０１へ送信する。
【００２６】
一方、システム制御部２０１は、ユーザによる選択状態の画像がないと確認すると（ステップＳ４０４でＮＯ）、サムネール画像作成処理を行う（ステップＳ４０５）。サムネール画像作成処理において、システム制御部２０１は、ＲＡＭ２０４またはカードＩ／Ｆ２１０に接続されている記録メディアに保存されている画像のサムネール画像を、画像処理部２０２のサムネール作成部を用いて作成する。
ここで、ユーザによる選択状態の画像がない場合とは、確立された近傍無線通信を介して送信すべき画像が特定されていない状態である。より具体的には、デジタルカメラ１００が、撮影モード、メニューモード、省電力モード、電源オフ等の状態である場合等がこれに相当する。一方、選択状態の画像がある場合の例としては、デジタルカメラ１００が再生モードとなっている場合が挙げられる。この場合、選択状態の画像は当該再生モードで表示中の画像である。
【００２７】
近年、ＲＡＭ２０４またはカードＩ／Ｆ２１０に接続されている記録メディアは大容量化しており、数千枚の画像の保存も可能となっている。そのため、サムネールを作成する場合に、保存されている全画像のサムネール画像を作成すると多大な時間を費やしてしまい、実用的ではない場合もある。
【００２８】
そこで、サムネール画像を作成する際に、以下のような規制を行い、サムネール画像の作成枚数を限定するようにすることが好ましい。例えば、
・作成枚数を設定することによりサムネール画像の作成枚数を指定された枚数以下に制限する。
・画像が撮影された日付（撮影日）を指定して期間制限することにより、サムネール画像の作成対象となる元の画像の枚数を制限する。
【００２９】
サムネール画像の作成に成功すると（ステップＳ４０６でＹＥＳ）、システム制御部２０１は、作成したサムネール画像をプリンタ１０１へ送信する（ステップＳ４０７）。即ち、システム制御部２０１は、ＲＡＭ２０４またはカードＩ／Ｆ２１０に接続されている記録メディアから近傍無線通信部２０５へサムネール画像を渡し、アンテナ制御部２０７とアンテナ２０６を通してこれらをプリンタ１０１へ送信する。図５により後述するように、プリンタ１０１は、送信されたサムネール画像を用いて、ユーザに所望の画像を選択させる選択操作のためのユーザインターフェースを提供する。
【００３０】
一方、サムネール画像の作成に失敗すると（ステップＳ４０６でＮＯ）、システム制御部２０１は、近傍無線通信部２０５による無線通信リンクを解除し、当該近傍無線通信を終了する（ステップＳ４１６）。なお、サムネール画像の作成に失敗するは、サムネール画像のエンコード中にエラーが発生する場合や、サムネール画像を保存する記憶領域が不足している場合等である。
【００３１】
近傍無線通信部２０５による画像送信に成功すると（ステップＳ４０８でＹＥＳ）、システム制御部２０１は、プリンタ１０１が送信する選択画像情報の受信待ちの状態になる（ステップＳ４１０）。一方、近傍無線通信部２０５による画像送信に失敗すると（ステップＳ４０８でＮＯ）、システム制御部２０１は、送信タイムアウト待ちとなり（ステップ４０９）、送信タイムアウトになるまで、画像を再送する（ステップＳ４０９でＮＯ）。そして、送信タイムアウトになると（ステップＳ４０９でＹＥＳ）、システム制御部２０１は、近傍無線通信部２０５による無線通信リンクを解除し、当該近傍無線通信を終了する（ステップＳ４1６）。
【００３２】
プリンタ１０１では、ユーザは操作部３１２を介して、デジタルカメラ１００がステップＳ４０７で送信したサムネール画像の中から、印刷を希望する画像を選択することができる。プリンタ１０１は、画像が選択されると、選択された画像情報を、近傍無線通信部２０５を通じて、デジタルカメラ１００のシステム制御部２０１に送信する。
【００３３】
デジタルカメラ１００のシステム制御部２０１では、プリンタ１０１からの選択画像情報の受信に成功すると（ステップＳ４１１でＹＥＳ）、選択された画像を、プリンタ１０１へ送信する（ステップＳ４１３）。即ち、システム制御部２０１は、ＲＡＭ２０４またはカードＩ／Ｆ２１０に接続されている記録メディアから選択画像情報で選択された画像を近傍無線通信部２０５へ渡し、アンテナ制御部２０７とアンテナ２０６を通してプリンタ１０１へ送信する。
【００３４】
一方、選択画像情報の受信に失敗すると（ステップＳ４１１でＮＯ）、受信タイムアウト待ちとなり（ステップ４１２）、受信タイムアウトになるまで、受信待ち状態となる（ステップＳ４１２でＮＯ）。そして、受信タイムアウトになると（ステップＳ４１２でＹＥＳ）、近傍無線通信部２０５による無線通信リンクを解除し、近傍無線通信を終了する（ステップＳ４1６）。
【００３５】
近傍無線通信部２０５による画像送信に成功すると（ステップＳ４１４でＹＥＳ）、システム制御部２０１は、近傍無線通信部２０５による無線通信リンクを解除し、当該近傍無線通信を終了する（ステップＳ４1６）。一方、近傍無線通信部２０５による画像送信に失敗すると（ステップＳ４１４でＮＯ）、システム制御部２０１は、送信タイムアウト待ちとなり（ステップ４１５）、送信タイムアウトになるまで、画像を再送する（ステップＳ４１５でＮＯ）。そして、送信タイムアウトになると（ステップＳ４１５でＹＥＳ）、システム制御部２０１は、近傍無線通信部２０５による無線通信リンクを解除し、当該近傍無線通信を終了する（ステップＳ４1６）。
【００３６】
次に、プリンタ１０１の動作（システム制御部３０１の処理）について説明する。図５は、プリンタ１０１の画像受信時におけるシステム制御部３０１の処理を示すフローチャートである。
【００３７】
図５において、まず、デジタルカメラ1００が、プリンタ１０１の通信圏内に置かれたことが検出される（ステップＳ５０１）。すると、デジタルカメラ１００の近傍無線通信部２０５とプリンタ１０１の近傍無線通信部３０５が互いを検知し、デジタルカメラ１００とプリンタ１０１の間に近傍無線通信が起動する（ステップＳ５０２）。この結果、デジタルカメラ１００とプリンタ１０１の間に近傍無線通信による無線通信リンクが設定され、デジタルカメラ１００とプリンタ１０１間で無線による画像伝送が可能になる。こうして、外部装置（デジタルカメラ１００）との間で通信（近傍無線通信）が確立される。そして、システム制御部３０１は、デジタルカメラ１００からの画像またはサムネール画像の受信待ち状態となる（ステップＳ５０３）。
【００３８】
システム制御部３０１は、受信待ち状態で、画像またはサムネール画像の受信に失敗すると（ステップＳ５０４でＮＯ）、受信タイムアウト待ちとなり（ステップ５１８）、受信タイムアウトになるまで受信待ち状態を継続する（ステップＳ５１８でＮＯ）。そして、受信タイムアウトになると（ステップＳ５１８でＹＥＳ）、近傍無線通信部３０５による無線通信リンクを解除し、近傍無線通信を終了する（ステップＳ５１７）。
【００３９】
画像またはサムネール画像の受信に成功すると（ステップＳ５０４でＹＥＳ）、システム制御部３０１は、近傍無線通信部３０５により受信した画像またはサムネール画像を保存する。画像またはサムネール画像の保存先としては、ＲＡＭ３０４またはカードＩ／Ｆ３１０に接続されている記録メディアカード３１４等が挙げられる。
【００４０】
システム制御部３０１は、受信した画像が、印刷処理または表示処理の対象の画像か、またはサムネール画像のいずれであるか特定する（ステップＳ５０５）。すなわち、ステップＳ５０５では、ステップＳ５０２で確立した通信を介して受信した情報が、
・当該装置による特定の処理（印刷処理／表示処理）の対象として選択された情報であるか、
・特定の処理の対象となる情報を選択するための選択用情報（サムネール画像）であるか、が判定される。
【００４１】
そして、上記の判定の結果に応じて以下のように処理が実行される。すなわち、
・選択された情報と判定された場合（印刷／表示処理の対象となる画像であると判定された場合）は、当該受信した情報に対して特定の処理を実行する（ステップＳ５０６，Ｓ５１６）。
・選択用情報と判定された場合（サムネール画像であると判定された場合）は、
・・・当該選択用情報を用いて、外部装置から送信させるべき情報をユーザに選択させるユーザインターフェースを提供し（ステップＳ５０７，Ｓ５０８）、
・・・ユーザの選択操作に応じて、特定の処理の対象として送信すべき情報を指定する指定情報（選択画像情報）を生成してこれを外部装置に送信する（ステップＳ５０８，Ｓ５１０）。
以下、これらの処理について詳述する。
【００４２】
受信した画像が、サムネール画像でない場合（ステップＳ５０６でＮＯ）、システム制御部３０１は、当該受信した画像を印刷または表示する（ステップＳ５１６）。即ち、システム制御部３０１は、ＲＡＭ３０４またはカードＩ／Ｆ３１０に接続されている記録メディアから、当該受信した画像を表示部３１１に送り表示するか、または給紙排紙部３０８に送り印刷する。
【００４３】
受信した画像が、サムネール画像の場合（ステップＳ５０６でＹＥＳ）、システム制御部３０１は当該サムネール画像を印刷または表示する（ステップＳ５０７）。即ち、システム制御部３０１は、受信したサムネール画像を、ＲＡＭ３０４またはカードＩ／Ｆ３１０に接続されている記録メディアカード３１４から、表示部３１１に送り表示するか、または給紙排紙部３０８に送り印刷する。こうして、システム制御部３０１は、ＲＡＭ３０４または記録メディアカード３１４に保存されたサムネール画像を可視画像としてユーザに提示することにより、ユーザに所望の画像を選択させるためのユーザインターフェースを提供する。ユーザは操作部３１２を操作することによって、このユーザインターフェースを介して所望の画像を選択することが可能となる。
【００４４】
以上のように、ユーザは、表示部３１１に表示されたサムネール画像または給紙排紙部３０８から印刷されたサムネール画像から、操作部３１２を介して所望の画像を選択することができる。これにより、ユーザは、デジタルカメラ１００からの送信を希望する画像を選択する（ステップＳ５０８）。
【００４５】
システム制御部３０１は、ユーザの選択操作により画像が選択されたことを確認すると（ステップＳ５０８でＹＥＳ）、当該選択状態の画像を示す選択画像情報をデジタルカメラ１００へ送信する（ステップＳ５１０）。即ち、システム制御部３０１は、ユーザの選択操作に応じた選択画像情報を近傍無線通信部２０５へ渡し、アンテナ制御部２０７とアンテナ２０６を通してデジタルカメラ１００へ送信する。
【００４６】
システム制御部３０１は、画像がユーザにより選択状態でないと確認すると（ステップＳ５０８でＮＯ）、タイマーを起動し、タイムアウトまでユーザの選択を待つ（ステップＳ５０９でＮＯ）。そして、タイムアウトになると（ステップＳ５０９でＮＯ）、システム制御部３０１は、近傍無線通信部３０５による無線通信リンクを解除し、当該近傍無線通信を終了する（ステップＳ５1７）。
【００４７】
近傍無線通信部２０５による選択画像情報の送信に成功すると（ステップＳ５１１でＹＥＳ）、システム制御部３０１は、デジタルカメラ１００から送信される選択画像の受信待ちになる（ステップＳ５１３）。一方、近傍無線通信部２０５による画像送信に失敗すると（ステップＳ５１１でＮＯ）、システム制御部３０１は、送信タイムアウト待ちとなり（ステップＳ５１２）、送信タイムアウトになるまで、選択画像情報を再送する（ステップＳ５１２でＮＯ）。そして、送信タイムアウトになると（ステップＳ５１２でＹＥＳ）、近傍無線通信部２０５による無線通信リンクを解除し、当該近傍無線通信を終了する（ステップＳ５１７）。
【００４８】
システム制御部３０１は、選択画像の受信に成功すると（ステップＳ５１４でＹＥＳ）、受信した選択画像を近傍無線通信部２０５からＲＡＭ２０４またはカードＩ／Ｆ２１０に接続されている記録メディアからへ渡し、保持する。さらにシステム制御部３０１は、その選択画像を表示部３１１に送り表示するか、または給紙排紙部３０８に送り印刷する（ステップＳ５１６）。
【００４９】
一方、選択画像情報の受信に失敗すると（ステップＳ５１４でＮＯ）、システム制御部３０１は、受信タイムアウト待ちとなり（ステップＳ５１５）、受信タイムアウトになるまで、受信待ち状態となる（ステップＳ５１５でＮＯ）。そして、受信タイムアウトになると（ステップＳ５１５でＹＥＳ）、近傍無線通信部３０５による無線通信リンクを解除し、近傍無線通信を終了する（ステップＳ５１７）。
【００５０】
以上のように、第１実施形態によれば、デジタルカメラ１００からプリンタ１０１へ送信するべき画像が選択されていない場合には、デジタルカメラ１００から送信可能な画像のサムネール画像がプリンタ１０１へ送信される。そして、プリンタ１０１ではサムネール画像から所望の画像を選択することができる。このため、通信の確立に応じて選択された情報が送信される情報処理システムにおいて、送信すべき情報が未選択状態であった場合にも容易に送信すべき情報を選択することが可能となり、操作性が向上する
【００５１】
なお、上記実施形態では、第１の情報処理装置（デジタルカメラ１００）と第２の情報処理装置（プリンタ１０１）との間に確立される通信形態が近傍無線通信の場合を説明したが、通信形態はこれに限られるものではない。例えば、有線のＵＳＢ通信等であってもよい。この場合、通信の確立は、ＵＳＢケーブルにより両装置が接続されたことによりなされる。また、上記実施形態では、特定の処理の対象となる情報を画像、情報を選択するための選択用情報をサムネール画像としたが、これに限られるものではない。例えば、第１の情報処理装置としてＰＤＡ（Personal Digital Assistant）を用いた場合、特定の処理の対象となる情報を文書データ、情報を選択するための選択用情報を文書ファイル名やその属性情報とすることができる。また、上記実施形態では、画像がユーザにより選択状態でない場合にサムネール画像を作成するものとしたが、予め作成しておいたサムネール画像を送信するようにしてもよい。
【００５２】
＜第２実施形態＞
次に、第２実施形態を説明する。図６は第２実施形態によるデジタルカメラ１００の構成例を示すブロック図である。また、図７は、第２実施形態によるプリンタ１０１の構成例を示すブロック図である。
【００５３】
第１実施形態との違いを述べると、デジタルカメラ１００に電磁誘導部６００（図６）が、プリンタ１０１に電磁誘導部７００（図７）がそれぞれ追加されている。電磁誘導部６００は、電源部２１３と接続され、電源制御部を構成する。
【００５４】
第１実施形態では、デジタルカメラ1００が、プリンタ１０１の通信圏内に置かれても、デジタルカメラ１００の電源部２１３が電源オン状態になっていないと、デジタルカメラ１００とプリンタ１０１は互いを検知できない。即ち、デジタルカメラ１００とプリンタ１０１の双方の電源がオン状態でないと、近傍無線通信部２０５と近傍無線通信部３０５が互いを検知し、デジタルカメラ１００とプリンタ１０１の間に近傍無線通信を起動させることはできない。
【００５５】
これに対して、第２実施形態では、デジタルカメラ１００の電源がオフ状態であっても、デジタルカメラ１００がプリンタ１０１の通信圏内に置かれたときに、デジタルカメラ１００の電源が自動的にオン状態となる。即ち、プリンタ１０１の電磁誘導部７００のコイル型アンテナから発生する磁場（磁界）によって、デジタルカメラ１００の電磁誘導部６００のコイル型アンテナが起電され、電源部２１３に起動信号が与えられ、これにより電源部２１３は電力供給を開始する。
【００５６】
起動された状態のデジタルカメラ１００では、システム制御部２０１が、画像がユーザにより選択状態でないと判断する。そして、ＲＡＭ２０４またはカードＩ／Ｆ２１０に接続されている記録メディアに保存されている画像のサムネール画像を、画像処理部２０２のサムネール作成部で作成する。作成したサムネール画像は、ＲＡＭ２０４またはカードＩ／Ｆ２１０に接続されている記録メディアから近傍無線通信部２０５へ渡され、アンテナ制御部２０７とアンテナ２０６を通してプリンタ１０１へ送信される。
以下の手順については、第１実施形態と同様である。
【００５７】
以上のように、第２実施形態によれば、電源オフの状態にあるデジタルカメラ１００をプリンタ１０１に接近させることにより、デジタルカメラ１００の電源が自動的にオンとなり、両装置間の近傍無線通信が確立される。そして、電源オンの状態に移行した直後のデジタルカメラ１００では画像が選択されていないので、デジタルカメラ１００からは直ちに選択用情報としてのサムネール画像がプリンタ１０１に送信される。従って、第２実施形態によれば、電源がオフの状態のデジタルカメラ１００をプリンタ１０１に接近させた場合にも、直ちにプリンタ１０１からの画像選択が可能な状態となるので、操作性が向上する。
【００５８】
以上、実施形態を詳述したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００５９】
尚、本発明は、ソフトウェアのプログラムをシステム或いは装置に直接或いは遠隔から供給し、そのシステム或いは装置のコンピュータが該供給されたプログラムコードを読み出して実行することによって前述した実施形態の機能が達成される場合を含む。この場合、供給されるプログラムは実施形態で図に示したフローチャートに対応したコンピュータプログラムである。
【００６０】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００６１】
その場合、プログラムの機能を有していれば、オブジェクトコード、インタプリタにより実行されるプログラム、ＯＳに供給するスクリプトデータ等の形態であっても良い。
【００６２】
コンピュータプログラムを供給するためのコンピュータ読み取り可能な記憶媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００６３】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６４】
また、本発明のプログラムを暗号化してＣＤ−ＲＯＭ等の記憶媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【００６５】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部または全部を行ない、その処理によって前述した実施形態の機能が実現される。
【００６６】
さらに、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵなどが実際の処理の一部または全部を行なう。
【図１】
2014030206.tif 000003
【図２】
2014030206.tif 000004
【図３】
2014030206.tif 000005
【図４】
2014030206.tif 000006
【図５】
2014030206.tif 000007
【図６】
2014030206.tif 000008
【図７】
2014030206.tif 000009